(57)【要約】【課題】中性能エアフィルタを備える空気調和機の室内ユニットの大型化を抑制する。【解決手段】室内ファン３２，３３は、室内に吹出される調和空気の空気流れを発生させる。中性能エアフィルタ３５は、室内ファン３２，３３の下流側に配置されている。ケーシング４０は、室内ファン３２，３３の羽根３２ａ，３３ａを収納する羽根収納室ＲＭ２と中性能エアフィルタ３５を収納するフィルタ収納室ＲＭ３とを有する。ケーシング４０は、空気流れに直交する方向の空気流路の断面積について、中性能エアフィルタ３５の配置箇所Ｐｉ1のうちで最大となるフィルタ収納室ＲＭ３の第１断面積が、羽根収納室ＲＭ２の吹出開口５２の第２断面積よりも大きくなるように構成されている。【選択図】図２
2018141621.tif 000002
【特許請求の範囲】
【請求項１】
室内に吹出される調和空気の空気流れを発生させるように構成されている室内ファン（３２，３３）と、
前記室内ファンの下流側に配置されている中性能エアフィルタ（３５，３８）と、
前記室内ファンの羽根を収納する羽根収納室と前記中性能エアフィルタを収納するフィルタ収納室とを有するケーシング（４０）と
を備え、
前記ケーシングは、空気流れに直交する方向の空気流路の断面積について、前記中性能エアフィルタの配置箇所のうちで最大となる前記フィルタ収納室の第１断面積が、前記羽根収納室の吹出開口の第２断面積よりも大きくなるように構成されている、空気調和機の室内ユニット。
【請求項２】
前記ケーシングに収納され、前記室内ファンの上流側に配置されている室内熱交換器（３１）をさらに備える、
請求項１に記載の空気調和機の室内ユニット。
【請求項３】
前記中性能エアフィルタは、前記中性能エアフィルタの少なくとも一部の上下方向位置が前記室内熱交換器の上下方向位置と同じになるように配置されている、
請求項２に記載の空気調和機の室内ユニット。
【請求項４】
前記ケーシングは、前記ケーシングの側部に吹出口が形成され、前記フィルタ収納室では上下方向に対して交差する向きに空気流れが生じる、
請求項１から３のいずれか一項に記載の空気調和機の室内ユニット。
【請求項５】
前記ケーシングは、前記フィルタ収納室の上下寸法が前記羽根収納室の上下寸法よりも大きくなるように構成されている、
請求項４に記載の空気調和機の室内ユニット。
【請求項６】
前記ケーシングは、前記フィルタ収納室の前記第１断面積が前記羽根収納室の前記吹出開口の前記第２断面積の２倍以上に設定されている、
請求項１から５のいずれか一項に記載の空気調和機の室内ユニット。
【請求項７】
前記ケーシングは、前記ケーシングから吹出される調和空気の風速を上げるために前記フィルタ収納室において前記中性能エアフィルタの下流側で空気流路が狭められている、
請求項１から６のいずれか一項に記載の空気調和機の室内ユニット。
【請求項８】
前記中性能エアフィルタ（３８）は、空気流れの下流側に向って凸の形状を有する、
請求項１から７のいずれか一項に記載の空気調和機の室内ユニット。
【請求項９】
前記中性能エアフィルタ（３８）は、立体的な第１フィルタ部と立体的な第２フィルタ部を折り曲げるように接続してなる、
請求項８に記載の空気調和機の室内ユニット。
【発明の詳細な説明】
【技術分野】
【０００１】
本開示は、空気調和機の室内ユニットに関する。
【背景技術】
【０００２】
従来より、空気調和機の室内ユニットから吹出される調和空気から非常に細かい粒子を除去する場合には、室内ユニットの内部に高性能エアフィルタを設ける場合がある。例えば、特許文献１（特開平１１−３１１４４６号公報）には、吸込口と室内熱交換器の間に高性能エアフィルタを設ける室内ユニットが示唆されている。
【発明の概要】
【発明が解決しようとする課題】
【０００３】
しかしながら、高性能エアフィルタを用いていても室内ユニットを長い間使用することによって室内熱交換器及び室内ファンが汚れ、高性能エアフィルタの下流に配置されている室内熱交換器及び室内ファンの汚れによって調和空気に細かい粒子が含まれてしまう場合がある。また、室内熱交換器で発生した凝縮水が高性能エアフィルタに付着すると、圧力損失の増加や悪臭の発生に繋がる場合がある。
【０００４】
そこで、高性能エアフィルタを室内ユニットの吹出口と室内ファンとの間に設けることが考えられる。
【０００５】
ところが、高性能エアフィルタを室内ユニットの吹出口と室内ファンとの間に設けようとすると、高性能エアフィルタで大きな圧力損失が発生するために、室内ファンの大型化や大きな高性能エアフィルタを用いなければならなくなり、室内ユニットが大型化してしまって、工場などの大型の施設では使用できるものの、一般的な家屋や店舗などの小さな建物の室内で使用しづらいものとなる。このような不具合は、中性能エアフィルタを用いる場合においても生じ得る。
【０００６】
本開示の課題は、中性能エアフィルタを備える空気調和機の室内ユニットの大型化を抑制することである。
【課題を解決するための手段】
【０００７】
本開示の第１観点に係る空気調和機の室内ユニットは、室内に吹出される調和空気の空気流れを発生させる室内ファンと、室内ファンの下流側に配置されている中性能エアフィルタと、室内ファンの羽根を収納する羽根収納室と中性能エアフィルタを収納するフィルタ収納室とを有するケーシングとを備え、ケーシングは、空気流れに直交する方向の空気流路の断面積について、中性能エアフィルタの配置箇所のうちで最大となるフィルタ収納室の第１断面積が、羽根収納室の吹出開口の第２断面積よりも大きくなるように構成されている。
【０００８】
本開示の第１観点に係る空気調和機の室内ユニットにおいては、中性能エアフィルタの配置箇所のうちで最大となるフィルタ収納室の第１断面積が、羽根収納室の吹出開口の第２断面積よりも大きくなるように構成されていることから、中性能エアフィルタでの圧力損失を小さくして室内ファンを小型化できる。また、空気流れに直交する方向についてフィルタ収納室の第１断面積が吹出開口の第２断面積よりも大きいことから、フィルタ収納室の空気流れに沿った方向の長さを短くできる。
【０００９】
本開示の第２観点に係る空気調和機の室内ユニットは、本開示の第１観点の空気調和機の室内ユニットにおいて、ケーシングに収納され、室内ファンの上流側に配置されている室内熱交換器をさらに備える、ものである。
【００１０】
本開示の第２観点に係る空気調和機の室内ユニットにおいては、室内熱交換器が室内ファンの上流側に配置され、中性能エアフィルタが室内ファンの下流側に配置されていることから、室内熱交換器、室内ファン、中性能エアフィルタの順に空気が流れるので室内熱交換器と中性能エアフィルタとの間に室内ファンが存在し、室内熱交換器から中性能エアフィルタに凝縮水が掛かるのを防止することができる。
【００１１】
本開示の第３観点に係る空気調和機の室内ユニットは、本開示の第２観点の空気調和機の室内ユニットにおいて、中性能エアフィルタは、中性能エアフィルタの少なくとも一部の上下方向位置が室内熱交換器の上下方向位置と同じになるように配置されている、ものである。
【００１２】
本開示の第３観点に係る空気調和機の室内ユニットにおいては、中性能エアフィルタの少なくとも一部の上下方向位置が室内熱交換器の上下方向位置と同じになっていることから、室内熱交換器の上下方向の範囲に中性能エアフィルタの少なくとも一部を納めることができる。
【００１３】
本開示の第４観点に係る空気調和機の室内ユニットは、本開示の第１観点から第３観点のいずれかの空気調和機の室内ユニットにおいて、ケーシングは、ケーシングの側部に吹出口が形成され、フィルタ収納室では上下方向に対して交差する向きに空気流れが生じる、ものである。
【００１４】
本開示の第４観点に係る空気調和機の室内ユニットにおいては、ケーシングの側部の吹出口から横に調和空気を吹きださせ且つフィルタ収納室の上下方向に対して交差する向きに空気流れが生じることから、フィルタ収納室を上下に拡張することができる。
【００１５】
本開示の第５観点に係る空気調和機の室内ユニットは、本開示の第４観点の空気調和機の室内ユニットにおいて、ケーシングは、フィルタ収納室の上下寸法が羽根収納室の上下寸法よりも大きくなるように構成されている、ものである。
【００１６】
本開示の第５観点に係る空気調和機の室内ユニットにおいては、フィルタ収納室の上下寸法が羽根収納室の上下寸法よりも大きいことから、室内ファンの送風能力と中性能エアフィルタの圧力損失の適正化を図り易くなり、フィルタ収納室と羽根収納室とをコンパクト化できる。
【００１７】
本開示の第６観点に係る空気調和機の室内ユニットは、本開示の第１観点から第５観点のいずれかの空気調和機の室内ユニットにおいて、ケーシングは、フィルタ収納室の第１断面積が羽根収納室の吹出開口の第２断面積の２倍以上に設定されている、ものである。
【００１８】
本開示の第６観点に係る空気調和機の室内ユニットにおいては、フィルタ収納室の第１断面積が羽根収納室の吹出開口の第２断面積の２倍以上に設定されていることから、室内ファンの送風能力と中性能エアフィルタの圧力損失の適正化を図り易くなり、フィルタ収納室と羽根収納室とをコンパクト化できる。
【００１９】
本開示の第７観点に係る空気調和機の室内ユニットは、本開示の第１観点から第６観点のいずれかの空気調和機の室内ユニットにおいて、ケーシングは、ケーシングから吹出される調和空気の風速を上げるためにフィルタ収納室において中性能エアフィルタの下流側で空気流路が狭められている、ものである。
【００２０】
本開示の第７観点に係る空気調和機の室内ユニットにおいては、中性能エアフィルタの下流側で空気流路を狭めることから、ケーシングから吹出される調和空気の風速を上げる一方で、中性能エアフィルタでの風速を抑えて中性能エアフィルタでの圧力損失を抑えることができる。
【００２１】
本開示の第８観点に係る空気調和機の室内ユニットは、本開示の第１観点から第７観点のいずれかの空気調和機の室内ユニットにおいて、中性能エアフィルタは、空気流れの下流側に向って凸の形状を有する、ものである。
【００２２】
本開示の第８観点に係る空気調和機の室内ユニットにおいては、空気流れの下流側に向って凸の形状を有する中性能エアフィルタを用いていることから、中性能エアフィルタを空気が通過する断面積を大きくしながら、空気流れに直交する方向の中性能エアフィルタの寸法を小さくすることができる。
【００２３】
本開示の第９観点に係る空気調和機の室内ユニットは、本開示の第８観点の空気調和機の室内ユニットにおいて、中性能エアフィルタは、立体的な第１フィルタ部と立体的な第２フィルタ部を折り曲げるように接続してなる、ものである。
【００２４】
本開示の第９観点に係る空気調和機の室内ユニットにおいては、空気流れの下流側に向って凸の形状を有する中性能エアフィルタを容易に実現することができる。
【発明の効果】
【００２５】
本開示の第１観点、第５観点、第６観点、第７観点、第８観点または第９観点に係る空気調和機の室内ユニットでは、室内ユニットの大型化を抑制することができる。
【００２６】
本開示の第２観点に係る空気調和機の室内ユニットでは、中性能エアフィルタの汚染及び圧力損失の増加を防止することができる。
【００２７】
本開示の第３観点に係る空気調和機の室内ユニットでは、室内ユニットが上下方向に拡大するのを抑制することができ、室内ユニットの大型化を抑制することができる。
【００２８】
本開示の第４観点に係る空気調和機の室内ユニットでは、中性能エアフィルタでの圧力損失を抑えながらケーシングが横方向へ拡大されるのを抑制することができる。
【図面の簡単な説明】
【００２９】
【図１】実施形態に係る室内ユニットが組み込まれている空気調和機の冷媒回路を示す回路図。
【図２】実施形態に係る室内ユニットの重要な構成部分の概要を模式的に示す斜視図。
【図３】実施形態に係る室内ユニットの重要な構成部分の外観を示す斜視図。
【図４】図３の室内ユニットから天板及び右側板を取り外した状態を示す斜視図。
【図５】右側板を取り外した状態の図３の室内ユニットを右側面から見た状態を示す側面図。
【図６】室内ユニットの羽根収納室を示す平面図。
【図７】（ａ）変形例１Ｇに係る室内ユニットの構成の一例を説明するための模式図、（ｂ）変形例１Ｈに係る室内ユニットの構成の一例を説明するための模式図。
【発明を実施するための形態】
【００３０】
以下、本開示の実施形態に係る空気調和機の室内ユニットについて図に基づいて説明する。本開示に係る室内ユニットは、種々の空気調和機に組み込まれて用いられる。以下に説明する実施形態では、図１に示されているように、１台の室外ユニット２０と１台の室内ユニット３０とが組み合わせられるペア型の空気調和機１０を例に挙げて説明する。
【００３１】
（１）空気調和機１０の全体構成
図１には、実施形態に係る室内ユニット３０が組み込まれている空気調和機１０の全体構成が示されている。図１に示されている空気調和機１０は、室外ユニット２０と室内ユニット３０とが冷媒連絡管１２，１３で接続されて形成された冷媒回路１１を含んでいる。空気調和機１０は、蒸気圧縮式冷凍サイクルにより、冷房運転及び暖房運転を行うことができる。冷媒回路１１には、室外ユニット２０が備えている圧縮機２１と四方弁２２と室外熱交換器２３と膨張弁２４とアキュムレータ２５と閉鎖弁２６，２７及び、室内ユニット３０が備えている室内熱交換器３１が接続されている。冷房運転及び暖房運転が行われるときには閉鎖弁２６，２７は開いた状態になっている。四方弁２２は、冷房運転時には実線で示された接続状態になり、暖房運転時には破線で示された接続状態になる。
【００３２】
冷房運転時には、圧縮機２１で圧縮されたガス冷媒が、四方弁２２を通って室外熱交換器２３に送られる。この冷媒は、室外熱交換器２３で室外空気に放熱し、膨張弁２４で減圧されて膨張し、閉鎖弁２６及び冷媒連絡管１２を通って室内熱交換器３１に送られる。膨張弁２４から送られてきた低温低圧の冷媒は、室内熱交換器３１で熱交換を行って室内空気から熱を奪う。室内熱交換器３１で熱交換を終えたガス冷媒または気液二相の冷媒は、冷媒連絡管１３、閉鎖弁２７、四方弁２２及びアキュムレータ２５を通って圧縮機２１に吸入される。
【００３３】
暖房運転時には、圧縮機２１で圧縮されたガス冷媒が、四方弁２２、閉鎖弁２７及び冷媒連絡管１３を通って室内熱交換器３１に送られる。この冷媒は、室内熱交換器３１で室内空気と熱交換を行って室内空気に熱を与える。室内熱交換器３１で熱交換を行った冷媒は、冷媒連絡管１２及び閉鎖弁２６を通って膨張弁２４に送られる。膨張弁２４で減圧されて膨張した低温低圧の冷媒は、室外熱交換器２３に送られ、室外熱交換器２３で熱交換を行って室外空気から熱を得る。室外熱交換器２３で熱交換を終えたガス冷媒または気液二相の冷媒は、四方弁２２及びアキュムレータ２５を通って圧縮機２１に吸入される。
【００３４】
冷房運転時及び暖房運転時に、室外熱交換器２３での室外空気と冷媒との熱交換を促進するために、室外空気の気流を室外熱交換器２３において発生させるための室外ファン２８を室外ユニット２０が備えている。また、冷房運転時及び暖房運転時に、室内熱交換器３１での室内空気と冷媒との熱交換を促進するとともに熱交換後の室内空気を室内に供給するために、室内空気の気流を室内熱交換器３１において発生させるための室内ファン３２，３３を室内ユニット３０が備えている。
【００３５】
室外ファン２８及び室内ファン３２，３３は、ファンモータ２８ｍ，３２ｍ，３３ｍによって駆動され、回転数を変更できるように構成されている。室外ファン２８のファンモータ２８ｍは、室外制御装置９１によって制御されている。室内ファン３２，３３のファンモータ３２ｍ，３３ｍは、室内制御装置９２によって制御されている。また、圧縮機２１は、圧縮機モータ２１ｍによって駆動され、運転周波数を変更できるように構成されている。この圧縮機２１、四方弁２２及び膨張弁２４も室外制御装置９１によって制御されている。これら室外制御装置９１と室内制御装置９２は、互いに接続されており、互いに協働して空気調和機１０を制御する空調制御装置９０として機能する。なお、図示が省略されているが、室外制御装置９１と室内制御装置９２には、空気調和機１０を制御するための種々のセンサが接続されている。
【００３６】
ここで、室内ユニット３０における空気の流れの概要を説明する。室内ユニット３０は、室内空気を内部に取り込むための吸込口４１と、内部から調和空気を吹き出すための吹出口４２とを有している。また、室内ユニット３０は、吸込口４１に設けられているプレフィルタ３４と、吹出口４２に設けられている中性能エアフィルタ３５とを備えている。
【００３７】
室内ファン３２，３３が駆動されると、吸込口４１を通って室内ユニット３０の中に室内空気が流入する。図１においては、矢印Ａｒ１が吸込口４１に吸い込まれる室内空気の流れを象徴している。室内空気は、吸込口４１を通過して室内ユニット３０に取り込まれるときにプレフィルタ３４を通過する。プレフィルタ３４を通過した室内空気は、室内熱交換器３１で熱交換されることによって調和空気になる。調和空気は、室内熱交換器３１から室内ファン３２，３３と中性能エアフィルタ３５を通って吹出口４２から吹出される。図１においては、矢印Ａｒ２が吹出口４２から吹出される調和空気の流れを象徴している。
【００３８】
（２）室内ユニット３０の概要
図２には、室内ユニット３０の構成のうちの本開示にとって重要な構成部分の概要が示されている。室内ファン３２，３３がＸ軸方向に並べて配置されているので、図２において、室内ファン３３の羽根３３ａが破線で示されている。以下に説明する図において、Ｘ軸方向が室内ユニット３０の左右方向であり、Ｙ軸方向が室内ユニット３０の前後方向であり、Ｚ軸方向が室内ユニット３０の上下方向である。
【００３９】
室内ファン３２，３３は、室内に吹出される調和空気の空気流れを発生させる。図２に示されている矢印Ａｒ３が吹出口４２から室内に吹出される調和空気の空気流れを示している。中性能エアフィルタ３５は、室内ファン３２，３３の下流側に配置されている。中性能エアフィルタ３５は、ＪＩＳ  Ｂ９９０８（２０１１）の試験方法形式２に準拠してＪＩＳ  Ｚ８９０１（２００６）の試験用粉体１の１１種を用いて定格風量２５ｍ３／分で測定した粒径２．０μｍに対する初期捕集率が７０％以上である集塵フィルタである。室内ユニット３０に用いる集塵フィルタは、ＪＩＳ  Ｂ９９０８（２０１１）の試験方法形式２に準拠してＪＩＳ  Ｚ８９０１（２００６）の試験用粉体１の１１種を用いて定格風量２５ｍ３／分で測定した粒径０．４μｍに対する初期捕集率が８０％以上である高性能エアフィルタであってもよい。他の観点から、集塵フィルタに用いる高性能エアフィルタは、定格流量で粒径が０．３μｍの粒子に対して９０％以上の粒子捕集率を持つ集塵フィルタであってもよい。ここで定格流量とは、室内ユニット３０の最大流量（ＪＩＳ  Ｚ  ８１２２に準拠して定められるもの）である。なお、高性能エアフィルタであっても「ＪＩＳ  Ｂ９９０８（２０１１）の試験方法形式２に準拠してＪＩＳ  Ｚ８９０１（２００６）の試験用粉体１の１１種を用いて定格風量２５ｍ３／分で測定した粒径２．０μｍに対する初期捕集率が７０％以上」の条件を満たすものは中性能エアフィルタに含まれる。つまり、中性能エアフィルタでもあり且つ高性能エアフィルタでもあるエアフィルタが存在するということである。
【００４０】
ケーシング４０は、室内ファン３２，３３の羽根３２ａ，３３ａを収納する羽根収納室ＲＭ２と中性能エアフィルタ３５を収納するフィルタ収納室ＲＭ３とを有する。ケーシング４０は、空気流れに直交する方向の空気流路の断面積について、中性能エアフィルタ３５の配置箇所Ｐｉ１のうちで最大となるフィルタ収納室ＲＭ３の第１断面積が、羽根収納室ＲＭ２の吹出開口５２の第２断面積よりも大きくなるように構成されている。中性能エアフィルタ３５の配置箇所Ｐｉ１のうちで最大となるフィルタ収納室ＲＭ３の第１断面積は、配置箇所Ｐｉ１におけるフィルタ収納室ＲＭ３の上下方向の長さＺ１と左右方向の長さＸ１の積で与えられる。また、吹出開口５２の第２断面積は、吹出開口５２の上下方向の長さＺ２と左右方向の長さＸ２の積で与えられる。多くの場合、フィルタ収納室ＲＭ３の左右方向の長さＸ１と吹出開口５２の左右方向の長さＸ２が実質的に等しい（Ｘ１≒Ｘ２）から、フィルタ収納室ＲＭ３の上下方向の長さＺ１が吹出開口５２の上下方向の長さＺ２よりも大きければ（Ｚ１＞Ｚ２）、第１断面積が第２断面積よりも大きくなる。
【００４１】
吹出開口５２の上下方向の長さＺ２は、吹出開口５２の上辺と下辺の距離に対応する。吹出開口５２の上辺は、図２に示されている天井前側壁５１のように天井壁５０から下方に突出する部分がある場合には、突出する部分の下辺つまり天井前側壁の前端辺５１ａになる。吹出開口５２において、このような下方に突出する部分がない場合には、天井壁５０の前端辺が吹出開口５２の上辺になる。同様に、吹出開口５２の下辺は、図２に示されている仕切壁４８のように上方に突出する部分がない場合には、仕切壁４８の前端辺４８ａが吹出開口５２の下辺になる。仕切壁４８から上方に突出する部分がある場合には、突出する部分の上辺が吹出開口５２の上辺になる。
【００４２】
（３）室内ユニット３０の具体的構成
図３には、室内ユニット３０の重要な構成部分を、室内ユニット３０に向かって右斜め上から見た状態が示されている。また、図４には、図３に示されている状態の室内ユニット３０のケーシング４０から、天板４０ａ、右側板４０ｂを取り外した状態が示されている。なお、製品となるときには、図３において図示省略されている化粧板及び風向を変更するためのルーバなどが取り付けられる。室内ユニット３０においては、室内熱交換器３１、室内ファン３２，３３、プレフィルタ３４及び中性能エアフィルタ３８が、ケーシング４０の中に収納されている。ここで示されている中性能エアフィルタ３８は、図２に示されている中性能エアフィルタ３５を実現するための具体的な中性能エアフィルタの一例である。この室内ユニット３０は、側方に調和空気を吹き出すことができるタイプの室内ユニットであり、例えば、壁掛け型または天井吊り下げ型である。ここに示すケーシング４０は、壁に取り付けられるように構成されている。なお、ここで説明する室内ユニット３０の具体的構成は一例であって本開示の技術的範囲をこの具体的構成に限定するものではない。
【００４３】
（３−１）ケーシング４０
ケーシング４０は、上部に天板４０ａ、右側面に右側板４０ｂ、左側面に左側板４０ｃ、及び背面に背面板４０ｄを備えている。この室内ユニット３０が壁掛け型であることから、背面板４０ｄは、室内の壁に取り付けられる金具に固定される。図５には、ケーシング４０の右側板４０ｂを取り外した状態の室内ユニット３０を右側面から見た状態が示されている。
【００４４】
ケーシング４０の底部には、底部材４５が配置されている。底部材４５には、左右方向に向って互いに平行に延びる２つのドレンパン４６，４７が形成されている。ドレンパン４６，４７には、４つに分割された室内熱交換器３１を支持する支持部材４６ａ，４６ｂ，４７ａ，４７ｂが形成されている。
【００４５】
底部材４５には、ドレンパン４６の前側、２つのドレンパン４６，４７の間及びドレンパン４７の後側に複数の開口部４５ａが左右方向に並べて形成されている。上方から下方に向って見たときの開口部４５ａの形状は、実質的に長方形である。互いに隣接する開口部４５ａの間には、細長い棒状のリブ４５ｂが前後方向に延びている。これら複数の開口部４５ａが吸込口４１になっている。これら複数の開口部４５ａの上には、プレフィルタ３４が配置されている。従って、開口部４５ａを通過した室内空気は、全てプレフィルタ３４を通過し、プレフィルタ３４により塵埃が除去される。吹出口４２の近傍に配置されている中性能エアフィルタ３８は、プレフィルタ３４よりも高い性能を有しており、細かい粒子に対してプレフィルタ３４よりも高い粒子捕集率を持っている。換言すると、プレフィルタ３４は、定格流量における０．３μｍの粒子の粒子捕集率が中性能エアフィルタ３８よりも少なく且つ圧力損失の小さいものである。
【００４６】
この吸込口４１の上は、底部材４５と右側板４０ｂと左側板４０ｃとで囲まれた熱交換器収納室ＲＭ１になっている。熱交換器収納室ＲＭ１の形状は、実質的に直方体である。この熱交換器収納室ＲＭ１は、左右に長く延びている。熱交換器収納室ＲＭ１に室内熱交換器３１が収納されている。
【００４７】
熱交換器収納室ＲＭ１の上には、羽根収納室ＲＭ２が設けられている。図６には、羽根収納室ＲＭ２を上方から見た状態が示されている。羽根収納室ＲＭ２には、室内ファン３２，３３の羽根３２ａ，３３ａが左右に並べて収納されている。熱交換器収納室ＲＭ１の上部、つまり熱交換器収納室ＲＭ１と羽根収納室ＲＭ２を仕切っている仕切壁４８には、室内ファン３２，３３の吸入口に合わせて２つの円形の開口部（図示せず）が形成されている。室内ファン３２，３３の羽根３２ａ，３３ａの後側には、上方から見て２つの半円状の第１案内面４９ａ及び第２案内面４９ｂを有する案内板４９が形成されている。この案内板４９の前側が開放されており、室内ファン３２，３３が駆動されると、室内ファン３２，３３によって熱交換器収納室ＲＭ１から上方に向かって吸い上げられた空気が案内板４９によって前方に向って案内される。そして、羽根収納室ＲＭ２の前側の吹出開口５２から前側の吹出口４２に向う気流が生じる。羽根収納室ＲＭ２の天井壁５０は、ＸＹ平面に沿うように前後左右に広がっているが、羽根３２ａをファンモータ３２ｍに接続するための開口部５０ａ、及び羽根３３ａをファンモータ３３ｍに接続するための開口部（図示せず）が形成されている。羽根収納室ＲＭ２の天井壁５０の前側にある天井前側壁５１は、前下がりになっていて側面から見て斜めに下がる曲線を描く（図５参照）。羽根収納室ＲＭ２の前側の吹出開口５２の上下方向の長さＺ２は、仕切壁４８から天井壁５０までの距離Ｒ１よりも短くなっている。
【００４８】
羽根収納室ＲＭ２と吹出口４２との間に、フィルタ収納室ＲＭ３が設けられている。フィルタ収納室ＲＭ３の上部には、フィルタ収納室ＲＭ３の前後方向（Ｙ軸方向）の中央部に左右方向（Ｘ軸方向）に水平に延びる板状の上部中央壁５４がある。フィルタ収納室ＲＭ３の上部中央壁５４のＺ軸方向（上下方向）の位置は、羽根収納室ＲＭ２の天井壁５０のＺ軸方向の位置と実質的に同じになっている。羽根収納室ＲＭ２の天井前側壁５１によって羽根収納室ＲＭ２の上部が低くなるが、フィルタ収納室ＲＭ３の上部後側壁５５は、羽根収納室ＲＭ２の天井前側壁５１の前端辺５１ａからフィルタ収納室ＲＭ３の上部中央壁５４に向って側面から見て斜め上方に延びていて、前上がりになっている。つまり、上部後側壁５５の後端辺５５ａに比べて前端辺５５ｂが上下方向において高所に位置している。なお、ここでは、天井前側壁５１の前端辺５１ａと上部後側壁５５の後端辺５５ａが実質的に一致している。天井前側壁５１の前端辺５１ａが吹出開口５２の上辺に相当するため、羽根収納室ＲＭ２の吹出開口５２の上辺のＺ軸方向の位置よりも、上部中央壁５４のＺ軸方向の位置の方が高くなっている。そして、フィルタ収納室ＲＭ３の上部中央壁５４の前方には、上部前側壁５６が、側面から見て斜め下方に向って前下がりに延びている。言い換えると、上部前側壁５６においては、前側に在る前端辺５６ｂの方が後端辺５６ａよりもＺ軸方向に下がった低所に位置している。この上部前側壁５６の前端辺５６ｂが吹出口４２の上辺に相当するため、吹出口４２の上辺のＺ軸方向の位置は、フィルタ収納室ＲＭ３の上部中央壁５４のＺ軸方向の位置よりも低くなっている。
【００４９】
フィルタ収納室ＲＭ３の下部の後側には、左右方向に延びる下部後側壁５７がある。下部後側壁５７の後端辺５７ａは、仕切壁４８の前端辺４８ａ（図６参照）からＺ軸方向に下がった低所に位置している。仕切壁４８の前端辺４８ａが吹出開口５２の下辺に相当するため、羽根収納室ＲＭ２の吹出開口５２のＺ軸方向の長さＺ２（吹出開口５２の上辺と下辺との距離）に比べて、中性能エアフィルタ３８の配置箇所のうちで最大となるフィルタ収納室ＲＭ３のＺ軸方向の長さＺ１が大きくなっている。この長さＺ１は、長さＺ２の２倍以上に設定されることが好ましい。また、フィルタ収納室ＲＭ３の後側の吸込開口のＺ軸方向の長さ（上部後側壁５５の後端辺５５ａと下部後側壁５７の後端辺５７ａとの距離）が吹出開口５２のＺ軸方向の長さＺ２よりも大きくなっている。このフィルタ収納室ＲＭ３の後側の吸込開口のＺ軸方向の長さも、中性能エアフィルタ３８のＺ軸方向の十分な長さを得るために、吹出開口５２のＺ軸方向の長さＺ２の２倍以上に設定されることが好ましい。なお、コンパクト化の観点から、フィルタ収納室ＲＭ３の上下方向の長さＺ１は、熱交換器収納室ＲＭ１と羽根収納室ＲＭ２と機械室ＲＭ４の全体の上下方向の長さよりも短く構成されることが好ましい。
【００５０】
この下部後側壁５７は、側面から見て後端辺５７ａから斜め下方に向って前下がりに延びている。言い換えると、下部後側壁５７においては、前側に在る前端辺５７ｂの方が後端辺５７ａよりもＺ軸方向において低所に位置している。下部後側壁５７の前側には、下部中央壁５８が左右方向に延びている。下部中央壁５８は、側面から見て下部後側壁５７の前端辺５７ｂから斜め上方に向って前上がりに延びている。言い換えると、下部中央壁５８においては、前側に在る前端辺５８ｂの方が後端辺５８ａよりもＺ軸方向において高所に位置している。さらに、下部前側壁５９は、側面から見て下部中央壁５８の前端辺５８ｂから斜め上方に向って前上がりに延びている。言い換えると、下部前側壁５９においては、前側に在る前端辺５９ｂの方が後端辺５９ａよりもＺ軸方向において高所に位置している。下部前側壁５９の前端辺５９ｂからＺ軸方向に沿って上にリブ６０が延びている。このリブ６０の上端辺６０ａが吹出口４２の下辺に相当する。
【００５１】
このように形成された吹出口４２の上下方向の長さＺ３（図３参照）は、フィルタ収納室ＲＭ３の上下方向の長さＺ１よりも小さくなっている。吹出口４２の上下方向の長さＺ３は、上部前側壁５６の前端辺５６ｂとリブ６０の上端辺６０ａの距離に対応する。フィルタ収納室ＲＭ３の上下方向の長さＺ１は、上部中央壁５４と下部中央壁５８の後端辺５８ａの距離に対応する。また、吹出口４２の上下方向の長さＺ３は、羽根収納室ＲＭ２の吹出開口５２の上下方向の長さＺ２よりも大きくなっている。
【００５２】
なお、ここでは図示を省略しているが、吹出口４２には、上下方向の風向及び／または左右方向の風向を調整するルーバが設けられる。
【００５３】
羽根収納室ＲＭ２の上には、機械室ＲＭ４が設けられている。機械室ＲＭ４には、ファンモータ３２ｍ，３３ｍ及び電装品箱９５（図４参照）が設置されている。電装品箱９５には、例えば室内制御装置９２が含まれる。
【００５４】
（３−２）室内熱交換器３１
室内熱交換器３１は、第１熱交換部３１ａから第４熱交換部３１ｄの４つの部分に分割されている。室内熱交換器３１の第１熱交換部３１ａから第４熱交換部３１ｄは、図５に示されているように、右側面から見てＷ字形を呈するように配置されている。すなわち、第１熱交換部３１ａは、右側面から見て斜め下方に向って後下がりに延び、第２熱交換部３１ｂは、右側面から見て第１熱交換部３１ａの右側から斜め上方に向って後上がりに延び、第３熱交換部３１ｃは、右側面から見て第２熱交換部３１ｂの右側から斜め下方に向って後下がりに延び、第４熱交換部３１ｄは、右側面から見て第３熱交換部３１ｃの右側から斜め上方に向って後上がりに延びている。第１熱交換部３１ａの後端部は支持部材４６ａによって支持され、第２熱交換部３１ｂの前端部は支持部材４６ｂによって支持され、第３熱交換部３１ｃの後端部は支持部材４７ａによって支持され、第４熱交換部３１ｄの前端部は支持部材４７ｂによって支持されている。そして、第１熱交換部３１ａの後端部と第２熱交換部３１ｂの前端部とが接続され、第２熱交換部３１ｂの後端部と第３熱交換部３１ｃの前端部とが接続され、第３熱交換部３１ｃの後端部と第４熱交換部３１ｄの前端部とが接続されている。
【００５５】
室内熱交換器３１は、例えば、Ｘ軸方向に延びる複数の伝熱管（図示せず）と、Ｘ軸方向に複数並べて配置され複数の伝熱管が貫く伝熱フィン（図示せず）とによって構成されるフィンアンドチューブ式の熱交換器である。複数の伝熱フィンの各々がＹＺ平面に平行に延びるように配置されているので、吸込口４１から吸込まれる室内空気が伝熱フィン間を通って上に向って流れる。そして、伝熱フィン間を通る室内空気と伝熱管の中を通る冷媒との間で熱交換が行われる。
【００５６】
（３−３）室内ファン３２，３３
図５に示されている室内ファン３２，３３には、遠心ファンを用いることができる。室内ファン３２，３３には、例えば、比較的多くの風量及び比較的高い風圧を得やすいことから、ターボファンが好適に用いられる。なお、室内ファン３２，３３に用いられる遠心ファンは、ターボファン以外の遠心ファンであってもよい。上方から羽根３２ａ，３３ｂを見たときに円形に見えるように、羽根３２ａ，３３ａが配置されている。羽根３２ａ，３３ａが回転すると、上下方向（Ｚ軸方向）に沿って下から空気が吸い上げられて、水平方向（ＸＹ平面に沿う方向）に空気が吹き出される。前から向って右側に配置されている室内ファン３２の羽根３２ａは上方から見て反時計回りに回転し、左側に配置されている室内ファン３３の羽根３３ａは上方から見て時計回りに回転するように構成されている。つまり、左右に並んだ室内ファン３２，３３の羽根３２ａ，３３ａの回転方向が互いに逆向きになっている。なお、羽根３２ａを時計回りに回転し、羽根３３ａを反時計回りに回転するように構成してもよい。
【００５７】
（３−４）中性能エアフィルタ３８
ここで用いられている中性能エアフィルタ３８は、初期性能として、定格流量で粒径が０．３μｍの粒子に対して９０％以上の粒子捕集率を持つ。通常のエアフィルタでは使用時間が長くなるほどフィルタ性能が低下するのが一般的であるので、初めて使用する場合のフィルタ性能で中性能エアフィルタを定義している。中性能エアフィルタ３８は、中性能エアフィルタ３８での圧力損失を低下させるために、機械的濾過と静電気的な吸着作用を併せ持つフィルタであることが好ましい。例えば、初期性能として、０．３μｍの粒子に対する機械的濾過の捕集効率よりも静電気的な吸着作用による集塵効率が高いものが好ましい。中性能エアフィルタ３８の空気流れに沿う方向の厚みＤ１が１０ｍｍ以上あれば十分な塵埃の除去機能が得られる。この中性能エアフィルタ３８の厚みＤ１は、例えば、側面から見て、１０ｍｍ〜１００ｍｍ程度である。中性能エアフィルタ３８の厚みは、換言すると、空気が流れる方向の厚みということができる。なお、１０ｍｍ以上の厚みＤ１を持つ中性能エアフィルタ３８は、圧力損失を下げるために、プリーツフィルタであることが好ましい。中性能エアフィルタ３８に代えて用いられる高性能エアフィルタにおいても空気流れに沿う方向の厚みＤ１が１０ｍｍ以上あれば十分な塵埃の除去機能が得られる。この高性能エアフィルタの厚みＤ１は、空気が流れる方向の厚みであり、例えば、側面から見て１０ｍｍ〜１００ｍｍ程度である。１０ｍｍ以上の厚みを持つ高性能エアフィルタも、圧力損失を下げるために、プリーツフィルタであることが好ましい。
【００５８】
中性能エアフィルタ３８は、第１フィルタ部３６と第２フィルタ部３７とから構成されている。第１フィルタ部３６と第２フィルタ部３７は、楔形に組み合わされている。この楔形を呈する中性能エアフィルタ３８は、吹出口４２に向って凸状になるように配置されている。つまり、第１フィルタ部３６の後端部３６ａは、上部後側壁５５に固定されている。第１フィルタ部３６は、側面から見て上部後側壁５５から真っ直ぐ斜め下方に向って前下がりに延びている。第２フィルタ部３７の後端部３７ａは、下部後側壁５７に固定されている。第２フィルタ部３７は、側面から見て下部後側壁５７から真っ直ぐ斜め上方に向って前上がりに延びている。そして、第１フィルタ部３６の前端部３６ｂと第２フィルタ部３７の前端部３７ｂとがＬアングルの接続部材３９によって接続されている。
【００５９】
第１フィルタ部３６と第２フィルタ部３７の接続位置が吹出口４２の上下方向位置に対応するように第１フィルタ部３６の長さＬ１が第２フィルタ部３７の長さＬ２よりも短くなっている。中性能エアフィルタ３８のＺ軸方向の配置位置は、羽根収納室ＲＭ２の吹出開口５２の上辺と下辺との間の範囲と中性能エアフィルタ３８の上端と下端との間の範囲が一部重なる上下方向位置に設定されている。中性能エアフィルタ３８を通過する空気は、第１フィルタ部３６では斜め上方に向かう流れを形成し、第２フィルタ部３７では斜め下方に向う流れを形成する。
【００６０】
図５に示されているように、吹出開口５２の下辺（ここでは仕切壁４８の前端辺４８ａ）とフィルタ収納室ＲＭ３の下部後端部（ここでは下部後側壁５７の後端辺５７ａ）とが離れるように形成されていると、フィルタ収納室ＲＭ３の前後方向（Ｙ軸方向）の長さを短く形成できる。そして、図５に示されているように凸状に配置された中性能エアフィルタ３８が吹出開口５２から離れているので、中性能エアフィルタ３８の全体を効率良く使用することができ、中性能エアフィルタ３８が吹出開口５２の近くにある場合に比べて中性能エアフィルタ３８で生じる圧力損失を小さくすることができている。
【００６１】
（４）変形例
（４−１）変形例１Ａ
上記実施形態では、室内熱交換器３１について、その形状が側面から見てＷ字形を呈するものについて説明した。しかし、室内熱交換器３１の形状は、上述のような形状に限られるものではなく、例えば側面から見て逆Ｖ字形であってもよい。
【００６２】
（４−２）変形例１Ｂ
上記実施形態では、室内ユニット３０が２台の室内ファン３２，３３を備える場合について説明したが、室内ファンは、１台でもよく、また３台以上であってもよい。
【００６３】
（４−３）変形例１Ｃ
上記実施形態では、室内ユニット３０が壁掛け型である場合について説明したが、室内ユニット３０を天井吊り下げ型とする場合には、例えば天井から吊り下げるためのボルトをケーシング４０に固定することができるように構成すればよい。
【００６４】
（４−４）変形例１Ｄ
上記実施形態では、１台の室外ユニット２０に１台の室内ユニット３０が接続される場合について説明したが、１台または複数台の室外ユニットに複数台の室内ユニットが接続されるものであってもよい。その場合に、膨張弁は、室外ユニットに配置されてもよく、室内ユニットに配置されてもよい。
【００６５】
（４−５）変形例１Ｅ
上記実施形態では、室内熱交換器３１に流れる冷媒が蒸気圧縮式冷凍サイクルを行う冷媒回路１１を流れる冷媒である場合について説明した。しかし、室内熱交換器３１に流れる冷媒は、蒸気圧縮式冷凍サイクルを行う冷媒回路を流れる冷媒に限られるものでなく、例えば給湯器から供給される熱水であってもよい。
【００６６】
（４−６）変形例１Ｆ
上記実施形態では、第１フィルタ部３６及び第２フィルタ部３７が、側面から見て真っ直ぐに延びている場合について説明したが、第１フィルタ部３６及び第２フィルタ部３７は側面から見て曲線状に延びるように構成されてもよい。また、吹出口４２に向って凸状に構成されている中性能エアフィルタ３８は、側面から見て曲線状に延びるように１つの部材を湾曲させて形成してもよく、複数の部材に分割しなくてもよい。例えば、中性能エアフィルタ３８は、側面から見て、直線状または曲線状に延びる１つのフィルタ部からなるものであってもよい。
【００６７】
（４−７）変形例１Ｇ
上記実施形態では、風向を変更するためのルーバの構成例の記載を省いたが、例えば図７（ａ）に示されているように、吹出口４２の前端辺５６ｂの近傍に回転軸７６を有する上部ルーバ７１と、吹出口４２の中央部に回転軸７７を有する下部ルーバ７２とを設けてもよい。上部ルーバ７１及び下部ルーバ７２は、上部ルーバ７１の先端部７１ａ及び下部ルーバ７２の先端部７２ａが最下端まで回動した状態で、吹出口４２の全体を覆うことができる。
【００６８】
（４−８）変形例１Ｈ
上記実施形態では、風向を変更するためのルーバの構成例の記載を省いたが、例えば図７（ｂ）に示されているように、吹出口４２の前端辺５６ｂの近傍に回転軸７８を有する上部ルーバ７３と、リブ６０に沿う回転軸７９を有する下部ルーバ７４とを設けてもよい。上部ルーバ７３は、上部ルーバ７３の先端部７３ａが最下端まで回動した状態で、吹出口４２の全体を覆うことができる。また、下部ルーバ７４は、下部ルーバ７４の先端部７４ａを下方に向って回動すると、吹出口４２を下方に向って開くことができる。
【００６９】
（５）特徴
（５−１）
図２を用いて説明したように、中性能エアフィルタ３５，３８の配置箇所Ｐｉ１のうちで最大となるフィルタ収納室ＲＭ３の第１断面積が、羽根収納室ＲＭ２の吹出開口５２の第２断面積よりも大きくなるように構成されていることから、中性能エアフィルタ３５，３８での圧力損失を小さくして室内ファン３２，３３を小型化できる。また、空気流れに直交する方向についてフィルタ収納室ＲＭ３の第１断面積が吹出開口５２の第２断面積よりも大きいことから、中性能エアフィルタ３５，３８の配置箇所Ｐｉ１を短くしてフィルタ収納室ＲＭ３の空気流れに沿った方向の長さを短くできるので、室内ユニット３０の大型化を抑制することができる。
【００７０】
（５−２）
室内熱交換器３１が室内ファン３２，３３の上流側に配置され、中性能エアフィルタ３５，３８が室内ファンの下流側に配置されていることから、室内熱交換器３１、室内ファン３２，３３、中性能エアフィルタ３５，３８の順に空気が流れるので、室内熱交換器３１と中性能エアフィルタ３５，３８との間に室内ファン３２，３３が存在している。この室内ファン３２，３３の存在によって、室内熱交換器３１から中性能エアフィルタ３５，３８に凝縮水が掛かるのを防止することができ、中性能エアフィルタ３５，３８の汚染及び圧力損失の増加を防止することができている。
【００７１】
（５−３）
図５に示されている中性能エアフィルタ３８の少なくとも一部の上下方向位置３８ｚが室内熱交換器３１の上下方向位置３１ｚと同じになっていることから、室内熱交換器３１の上下方向の範囲に中性能エアフィルタ３８の少なくとも一部が納まるので、室内ユニット３０が上下方向に拡大するのを抑制することができ、室内ユニット３０の大型化を抑制することができる。
【００７２】
（５−４）
図２及び図５に示されているように、ケーシング４０の側部の吹出口４２から横に調和空気を吹きださせ且つフィルタ収納室ＲＭ３の上下方向に対して交差する向きに空気流れが生じている。このような構成により、フィルタ収納室ＲＭ３を上下に拡張することができている。その結果、中性能エアフィルタ３５，３８での圧力損失を抑えながらケーシング４０が横方向（Ｙ軸方向）へ拡大されるのを抑制することができている。
【００７３】
（５−５）
フィルタ収納室ＲＭ３の上下寸法が羽根収納室ＲＭ２の上下寸法よりも大きいことから、室内ファン３２，３３の送風能力と中性能エアフィルタ３５，３８の圧力損失の適正化を図り易くなり、フィルタ収納室ＲＭ３と羽根収納室ＲＭ２とをコンパクト化できる。その結果、ケーシング４０を小型化してすることができ、室内ユニット３０の大型化を抑制することができる。
【００７４】
（５−６）
室内ユニット３０においては、フィルタ収納室ＲＭ３の上下方向の長さＺ１が吹出開口の上下方向の長さＺ２の２倍以上に設定されることにより、フィルタ収納室ＲＭ３の第１断面積が羽根収納室の吹出開口の第２断面積の２倍以上に設定される。このような構成の場合には、室内ファン３２，３３の送風能力と中性能エアフィルタ３８の圧力損失の適正化を図り易くなり、フィルタ収納室ＲＭ３と羽根収納室ＲＭ２とをコンパクト化できるので、ケーシング４０を小型化することができる。
【００７５】
（５−７）
図５に示されている室内ユニット３０では、中性能エアフィルタ３８の下流側で空気流路を狭めることから、ケーシング４０から吹出される調和空気の風速を上げる一方で、中性能エアフィルタ３８での風速を抑えて構成の上ありふたでの圧力損失を抑えることができるので、室内ファン３２，３３を小型化し易くなり、室内ユニット３０の大型化を抑制することができる。
【００７６】
（５−８）
図５に示されている室内ユニット３０では、空気流れの下流側に向って凸の形状を有する中性能エアフィルタ３８を用いている。中性能エアフィルタ３８を空気が通過する断面積を大きくしながら、空気流れに直交する方向の中性能エアフィルタ３８の寸法を小さくすることができ、中性能エアフィルタ３８の圧力損失を小さくするためにフィルタ収納室ＲＭ３の上下方向の寸法が大きくなるのを防いで、室内ユニット３０の大型化を抑制することができる。
【００７７】
（５−９）
直方体状の第１フィルタ部３６と第２フィルタ部３７をＬアングルの接続部材３９により接続することによって中性能エアフィルタ３８が得られている。このように、立体的な第１フィルタ部３６と立体的な第２フィルタ部３７を接続することにより、楔形に折り曲げた形状の中性能エアフィルタ３８を簡単に造ることができる。そして、空気流れの下流側に向って凸の形状を有する中性能エアフィルタ３８を容易に実現することができている。なお、立体的な第１フィルタ部３６と立体的な第２フィルタ部３７は、直方体以外の形状であってもよく、例えば三角柱または直方体以外の四角柱のような形状であってもよい。
【００７８】
以上、本開示の実施形態を説明したが、特許請求の範囲に記載された本開示の趣旨及び範囲から逸脱することなく、形態や詳細の多様な変更が可能なことが理解されるであろう。
【符号の説明】
【００７９】
１０  空気調和機
２０  室外ユニット
３０  室内ユニット
３１  室内熱交換器
３２，３３  室内ファン
３５，３８  中性能エアフィルタ
４０  ケーシング
４１  吸込口
４２  吹出口
５２  吹出開口
ＲＭ１  熱交換器収納室
ＲＭ２  羽根収納室
ＲＭ３  フィルタ収納室
【先行技術文献】
【特許文献】
【００８０】
【特許文献１】特開平１１−３１１４４６号公報
【図１】
2018141621.tif 000003
【図２】
2018141621.tif 000004
【図３】
2018141621.tif 000005
【図４】
2018141621.tif 000006
【図５】
2018141621.tif 000007
【図６】
2018141621.tif 000008
【図７】
2018141621.tif 000009
【手続補正書】
【提出日】平成30年7月6日(2018.7.6)
【手続補正１】
【補正対象書類名】特許請求の範囲
【補正対象項目名】全文
【補正方法】変更
【補正の内容】
【特許請求の範囲】
【請求項１】
室内に吹出される調和空気の空気流れを発生させるように構成されている室内ファン（３２，３３）と、
前記室内ファンの下流側に配置されている中性能エアフィルタ（３５，３８）と、
前記室内に設置され、前記室内ファンの羽根を収納する羽根収納室と前記中性能エアフィルタを収納するフィルタ収納室とを有するケーシング（４０）と
を備え、
前記ケーシングは、前記フィルタ収納室の上下寸法が前記羽根収納室の上下寸法よりも大きくなるように且つ、空気流れに直交する方向の空気流路の断面積について、前記中性能エアフィルタの配置箇所のうちで最大となる前記フィルタ収納室の第１断面積が、前記羽根収納室の吹出開口の第２断面積よりも大きくなるように構成されている、空気調和機の室内ユニット。
【請求項２】
前記ケーシングに収納され、前記室内ファンの上流側に配置されている室内熱交換器（３１）をさらに備える、
請求項１に記載の空気調和機の室内ユニット。
【請求項３】
前記中性能エアフィルタは、前記中性能エアフィルタの少なくとも一部の上下方向位置が前記室内熱交換器の上下方向位置と同じになるように配置されている、
請求項２に記載の空気調和機の室内ユニット。
【請求項４】
前記ケーシングは、前記ケーシングの側部に吹出口を有し、前記フィルタ収納室では上下方向に対して交差する向きに空気流れが生じる、
請求項１から３のいずれか一項に記載の空気調和機の室内ユニット。
【請求項５】
前記ケーシングは、前記フィルタ収納室の前記第１断面積が前記羽根収納室の前記吹出開口の前記第２断面積の２倍以上に設定されている、
請求項１から４のいずれか一項に記載の空気調和機の室内ユニット。
【請求項６】
前記ケーシングは、前記ケーシングから吹出される調和空気の風速を上げるために前記フィルタ収納室において前記中性能エアフィルタの下流側で空気流路が狭められている、
請求項１から５のいずれか一項に記載の空気調和機の室内ユニット。
【請求項７】
前記中性能エアフィルタ（３８）は、空気流れの下流側に向って凸の形状を有する、
請求項１から６のいずれか一項に記載の空気調和機の室内ユニット。
【請求項８】
前記中性能エアフィルタ（３８）は、立体的な第１フィルタ部と立体的な第２フィルタ部を折り曲げるように接続してなる、
請求項７に記載の空気調和機の室内ユニット。
【請求項９】
前記ケーシングの吹出口に設けられ、上下方向の風向及び／または左右方向の風向を調整するルーバ（７１，７２，７３，７４）をさらに備える、
請求項１から８のいずれか一項に記載の空気調和機の室内ユニット。
【手続補正２】
【補正対象書類名】明細書
【補正対象項目名】全文
【補正方法】変更
【補正の内容】
【発明の詳細な説明】
【技術分野】
【０００１】
本開示は、空気調和機の室内ユニットに関する。
【背景技術】
【０００２】
従来より、空気調和機の室内ユニットから吹出される調和空気から非常に細かい粒子を除去する場合には、室内ユニットの内部に高性能エアフィルタを設ける場合がある。例えば、特許文献１（特開平１１−３１１４４６号公報）には、吸込口と室内熱交換器の間に高性能エアフィルタを設ける室内ユニットが示唆されている。
【発明の概要】
【発明が解決しようとする課題】
【０００３】
しかしながら、高性能エアフィルタを用いていても室内ユニットを長い間使用することによって室内熱交換器及び室内ファンが汚れ、高性能エアフィルタの下流に配置されている室内熱交換器及び室内ファンの汚れによって調和空気に細かい粒子が含まれてしまう場合がある。また、室内熱交換器で発生した凝縮水が高性能エアフィルタに付着すると、圧力損失の増加や悪臭の発生に繋がる場合がある。
【０００４】
そこで、高性能エアフィルタを室内ユニットの吹出口と室内ファンとの間に設けることが考えられる。
【０００５】
ところが、高性能エアフィルタを室内ユニットの吹出口と室内ファンとの間に設けようとすると、高性能エアフィルタで大きな圧力損失が発生するために、室内ファンの大型化や大きな高性能エアフィルタを用いなければならなくなり、室内ユニットが大型化してしまって、工場などの大型の施設では使用できるものの、一般的な家屋や店舗などの小さな建物の室内で使用しづらいものとなる。このような不具合は、中性能エアフィルタを用いる場合においても生じ得る。
【０００６】
本開示の課題は、中性能エアフィルタを備える空気調和機の室内ユニットの大型化を抑制することである。
【課題を解決するための手段】
【０００７】
本開示の第１観点に係る空気調和機の室内ユニットは、室内に吹出される調和空気の空気流れを発生させる室内ファンと、室内ファンの下流側に配置されている中性能エアフィルタと、室内に設置され、室内ファンの羽根を収納する羽根収納室と中性能エアフィルタを収納するフィルタ収納室とを有するケーシングとを備え、ケーシングは、フィルタ収納室の上下寸法が羽根収納室の上下寸法よりも大きくなるように且つ、空気流れに直交する方向の空気流路の断面積について、中性能エアフィルタの配置箇所のうちで最大となるフィルタ収納室の第１断面積が、羽根収納室の吹出開口の第２断面積よりも大きくなるように構成されている。
【０００８】
本開示の第１観点に係る空気調和機の室内ユニットにおいては、中性能エアフィルタの配置箇所のうちで最大となるフィルタ収納室の第１断面積が、羽根収納室の吹出開口の第２断面積よりも大きくなるように構成されていることから、中性能エアフィルタでの圧力損失を小さくして室内ファンを小型化できる。また、空気流れに直交する方向についてフィルタ収納室の第１断面積が吹出開口の第２断面積よりも大きいことから、フィルタ収納室の空気流れに沿った方向の長さを短くできる。また、第１観点に係る空気調和機の室内ユニットでは、フィルタ収納室の上下寸法が羽根収納室の上下寸法よりも大きいことから、室内ファンの送風能力と中性能エアフィルタの圧力損失の適正化を図り易くなり、フィルタ収納室と羽根収納室とをコンパクト化できる。
【０００９】
本開示の第２観点に係る空気調和機の室内ユニットは、本開示の第１観点の空気調和機の室内ユニットにおいて、ケーシングに収納され、室内ファンの上流側に配置されている室内熱交換器をさらに備える、ものである。
【００１０】
本開示の第２観点に係る空気調和機の室内ユニットにおいては、室内熱交換器が室内ファンの上流側に配置され、中性能エアフィルタが室内ファンの下流側に配置されていることから、室内熱交換器、室内ファン、中性能エアフィルタの順に空気が流れるので室内熱交換器と中性能エアフィルタとの間に室内ファンが存在し、室内熱交換器から中性能エアフィルタに凝縮水が掛かるのを防止することができる。
【００１１】
本開示の第３観点に係る空気調和機の室内ユニットは、本開示の第２観点の空気調和機の室内ユニットにおいて、中性能エアフィルタは、中性能エアフィルタの少なくとも一部の上下方向位置が室内熱交換器の上下方向位置と同じになるように配置されている、ものである。
【００１２】
本開示の第３観点に係る空気調和機の室内ユニットにおいては、中性能エアフィルタの少なくとも一部の上下方向位置が室内熱交換器の上下方向位置と同じになっていることから、室内熱交換器の上下方向の範囲に中性能エアフィルタの少なくとも一部を納めることができる。
【００１３】
本開示の第４観点に係る空気調和機の室内ユニットは、本開示の第１観点から第３観点のいずれかの空気調和機の室内ユニットにおいて、ケーシングは、ケーシングの側部に吹出口を有し、フィルタ収納室では上下方向に対して交差する向きに空気流れが生じる、ものである。
【００１４】
本開示の第４観点に係る空気調和機の室内ユニットにおいては、ケーシングの側部の吹出口から横に調和空気を吹きださせ且つフィルタ収納室の上下方向に対して交差する向きに空気流れが生じることから、フィルタ収納室を上下に拡張することができる。
【００１５】
本開示の第５観点に係る空気調和機の室内ユニットは、本開示の第１観点から第４観点のいずれかの空気調和機の室内ユニットにおいて、ケーシングは、フィルタ収納室の第１断面積が羽根収納室の吹出開口の第２断面積の２倍以上に設定されている、ものである。
【００１６】
本開示の第５観点に係る空気調和機の室内ユニットにおいては、フィルタ収納室の第１断面積が羽根収納室の吹出開口の第２断面積の２倍以上に設定されていることから、室内ファンの送風能力と中性能エアフィルタの圧力損失の適正化を図り易くなり、フィルタ収納室と羽根収納室とをコンパクト化できる。
【００１７】
本開示の第６観点に係る空気調和機の室内ユニットは、本開示の第１観点から第５観点のいずれかの空気調和機の室内ユニットにおいて、ケーシングは、ケーシングから吹出される調和空気の風速を上げるためにフィルタ収納室において中性能エアフィルタの下流側で空気流路が狭められている、ものである。
【００１８】
本開示の第６観点に係る空気調和機の室内ユニットにおいては、中性能エアフィルタの下流側で空気流路を狭めることから、ケーシングから吹出される調和空気の風速を上げる一方で、中性能エアフィルタでの風速を抑えて中性能エアフィルタでの圧力損失を抑えることができる。
【００１９】
本開示の第７観点に係る空気調和機の室内ユニットは、本開示の第１観点から第６観点のいずれかの空気調和機の室内ユニットにおいて、中性能エアフィルタは、空気流れの下流側に向って凸の形状を有する、ものである。
【００２０】
本開示の第７観点に係る空気調和機の室内ユニットにおいては、空気流れの下流側に向って凸の形状を有する中性能エアフィルタを用いていることから、中性能エアフィルタを空気が通過する断面積を大きくしながら、空気流れに直交する方向の中性能エアフィルタの寸法を小さくすることができる。
【００２１】
本開示の第８観点に係る空気調和機の室内ユニットは、本開示の第７観点の空気調和機の室内ユニットにおいて、中性能エアフィルタは、立体的な第１フィルタ部と立体的な第２フィルタ部を折り曲げるように接続してなる、ものである。
【００２２】
本開示の第８観点に係る空気調和機の室内ユニットにおいては、空気流れの下流側に向って凸の形状を有する中性能エアフィルタを容易に実現することができる。
【００２３】
本開示の第９観点に係る空気調和機の室内ユニットは、本開示の第１観点から第８観点のいずれかの空気調和機の室内ユニットにおいて、ケーシングの吹出口に設けられ、上下方向の風向及び／または左右方向の風向を調整するルーバをさらに備える、ものである。
【発明の効果】
【００２４】
本開示の第１観点、第５観点、第６観点、第７観点、第８観点または第９観点に係る空気調和機の室内ユニットでは、室内ユニットの大型化を抑制することができる。
【００２５】
本開示の第２観点に係る空気調和機の室内ユニットでは、中性能エアフィルタの汚染及び圧力損失の増加を防止することができる。
【００２６】
本開示の第３観点に係る空気調和機の室内ユニットでは、室内ユニットが上下方向に拡大するのを抑制することができ、室内ユニットの大型化を抑制することができる。
【００２７】
本開示の第４観点に係る空気調和機の室内ユニットでは、中性能エアフィルタでの圧力損失を抑えながらケーシングが横方向へ拡大されるのを抑制することができる。
【図面の簡単な説明】
【００２８】
【図１】実施形態に係る室内ユニットが組み込まれている空気調和機の冷媒回路を示す回路図。
【図２】実施形態に係る室内ユニットの重要な構成部分の概要を模式的に示す斜視図。
【図３】実施形態に係る室内ユニットの重要な構成部分の外観を示す斜視図。
【図４】図３の室内ユニットから天板及び右側板を取り外した状態を示す斜視図。
【図５】右側板を取り外した状態の図３の室内ユニットを右側面から見た状態を示す側面図。
【図６】室内ユニットの羽根収納室を示す平面図。
【図７】（ａ）変形例１Ｇに係る室内ユニットの構成の一例を説明するための模式図、（ｂ）変形例１Ｈに係る室内ユニットの構成の一例を説明するための模式図。
【発明を実施するための形態】
【００２９】
以下、本開示の実施形態に係る空気調和機の室内ユニットについて図に基づいて説明する。本開示に係る室内ユニットは、種々の空気調和機に組み込まれて用いられる。以下に説明する実施形態では、図１に示されているように、１台の室外ユニット２０と１台の室内ユニット３０とが組み合わせられるペア型の空気調和機１０を例に挙げて説明する。
【００３０】
（１）空気調和機１０の全体構成
図１には、実施形態に係る室内ユニット３０が組み込まれている空気調和機１０の全体構成が示されている。図１に示されている空気調和機１０は、室外ユニット２０と室内ユニット３０とが冷媒連絡管１２，１３で接続されて形成された冷媒回路１１を含んでいる。空気調和機１０は、蒸気圧縮式冷凍サイクルにより、冷房運転及び暖房運転を行うことができる。冷媒回路１１には、室外ユニット２０が備えている圧縮機２１と四方弁２２と室外熱交換器２３と膨張弁２４とアキュムレータ２５と閉鎖弁２６，２７及び、室内ユニット３０が備えている室内熱交換器３１が接続されている。冷房運転及び暖房運転が行われるときには閉鎖弁２６，２７は開いた状態になっている。四方弁２２は、冷房運転時には実線で示された接続状態になり、暖房運転時には破線で示された接続状態になる。
【００３１】
冷房運転時には、圧縮機２１で圧縮されたガス冷媒が、四方弁２２を通って室外熱交換器２３に送られる。この冷媒は、室外熱交換器２３で室外空気に放熱し、膨張弁２４で減圧されて膨張し、閉鎖弁２６及び冷媒連絡管１２を通って室内熱交換器３１に送られる。膨張弁２４から送られてきた低温低圧の冷媒は、室内熱交換器３１で熱交換を行って室内空気から熱を奪う。室内熱交換器３１で熱交換を終えたガス冷媒または気液二相の冷媒は、冷媒連絡管１３、閉鎖弁２７、四方弁２２及びアキュムレータ２５を通って圧縮機２１に吸入される。
【００３２】
暖房運転時には、圧縮機２１で圧縮されたガス冷媒が、四方弁２２、閉鎖弁２７及び冷媒連絡管１３を通って室内熱交換器３１に送られる。この冷媒は、室内熱交換器３１で室内空気と熱交換を行って室内空気に熱を与える。室内熱交換器３１で熱交換を行った冷媒は、冷媒連絡管１２及び閉鎖弁２６を通って膨張弁２４に送られる。膨張弁２４で減圧されて膨張した低温低圧の冷媒は、室外熱交換器２３に送られ、室外熱交換器２３で熱交換を行って室外空気から熱を得る。室外熱交換器２３で熱交換を終えたガス冷媒または気液二相の冷媒は、四方弁２２及びアキュムレータ２５を通って圧縮機２１に吸入される。
【００３３】
冷房運転時及び暖房運転時に、室外熱交換器２３での室外空気と冷媒との熱交換を促進するために、室外空気の気流を室外熱交換器２３において発生させるための室外ファン２８を室外ユニット２０が備えている。また、冷房運転時及び暖房運転時に、室内熱交換器３１での室内空気と冷媒との熱交換を促進するとともに熱交換後の室内空気を室内に供給するために、室内空気の気流を室内熱交換器３１において発生させるための室内ファン３２，３３を室内ユニット３０が備えている。
【００３４】
室外ファン２８及び室内ファン３２，３３は、ファンモータ２８ｍ，３２ｍ，３３ｍによって駆動され、回転数を変更できるように構成されている。室外ファン２８のファンモータ２８ｍは、室外制御装置９１によって制御されている。室内ファン３２，３３のファンモータ３２ｍ，３３ｍは、室内制御装置９２によって制御されている。また、圧縮機２１は、圧縮機モータ２１ｍによって駆動され、運転周波数を変更できるように構成されている。この圧縮機２１、四方弁２２及び膨張弁２４も室外制御装置９１によって制御されている。これら室外制御装置９１と室内制御装置９２は、互いに接続されており、互いに協働して空気調和機１０を制御する空調制御装置９０として機能する。なお、図示が省略されているが、室外制御装置９１と室内制御装置９２には、空気調和機１０を制御するための種々のセンサが接続されている。
【００３５】
ここで、室内ユニット３０における空気の流れの概要を説明する。室内ユニット３０は、室内空気を内部に取り込むための吸込口４１と、内部から調和空気を吹き出すための吹出口４２とを有している。また、室内ユニット３０は、吸込口４１に設けられているプレフィルタ３４と、吹出口４２に設けられている中性能エアフィルタ３５とを備えている。
【００３６】
室内ファン３２，３３が駆動されると、吸込口４１を通って室内ユニット３０の中に室内空気が流入する。図１においては、矢印Ａｒ１が吸込口４１に吸い込まれる室内空気の流れを象徴している。室内空気は、吸込口４１を通過して室内ユニット３０に取り込まれるときにプレフィルタ３４を通過する。プレフィルタ３４を通過した室内空気は、室内熱交換器３１で熱交換されることによって調和空気になる。調和空気は、室内熱交換器３１から室内ファン３２，３３と中性能エアフィルタ３５を通って吹出口４２から吹出される。図１においては、矢印Ａｒ２が吹出口４２から吹出される調和空気の流れを象徴している。
【００３７】
（２）室内ユニット３０の概要
図２には、室内ユニット３０の構成のうちの本開示にとって重要な構成部分の概要が示されている。室内ファン３２，３３がＸ軸方向に並べて配置されているので、図２において、室内ファン３３の羽根３３ａが破線で示されている。以下に説明する図において、Ｘ軸方向が室内ユニット３０の左右方向であり、Ｙ軸方向が室内ユニット３０の前後方向であり、Ｚ軸方向が室内ユニット３０の上下方向である。
【００３８】
室内ファン３２，３３は、室内に吹出される調和空気の空気流れを発生させる。図２に示されている矢印Ａｒ３が吹出口４２から室内に吹出される調和空気の空気流れを示している。中性能エアフィルタ３５は、室内ファン３２，３３の下流側に配置されている。中性能エアフィルタ３５は、ＪＩＳ  Ｂ９９０８（２０１１）の試験方法形式２に準拠してＪＩＳ  Ｚ８９０１（２００６）の試験用粉体１の１１種を用いて定格風量２５ｍ３／分で測定した粒径２．０μｍに対する初期捕集率が７０％以上である集塵フィルタである。室内ユニット３０に用いる集塵フィルタは、ＪＩＳ  Ｂ９９０８（２０１１）の試験方法形式２に準拠してＪＩＳ  Ｚ８９０１（２００６）の試験用粉体１の１１種を用いて定格風量２５ｍ３／分で測定した粒径０．４μｍに対する初期捕集率が８０％以上である高性能エアフィルタであってもよい。他の観点から、集塵フィルタに用いる高性能エアフィルタは、定格流量で粒径が０．３μｍの粒子に対して９０％以上の粒子捕集率を持つ集塵フィルタであってもよい。ここで定格流量とは、室内ユニット３０の最大流量（ＪＩＳ  Ｚ  ８１２２に準拠して定められるもの）である。なお、高性能エアフィルタであっても「ＪＩＳ  Ｂ９９０８（２０１１）の試験方法形式２に準拠してＪＩＳ  Ｚ８９０１（２００６）の試験用粉体１の１１種を用いて定格風量２５ｍ３／分で測定した粒径２．０μｍに対する初期捕集率が７０％以上」の条件を満たすものは中性能エアフィルタに含まれる。つまり、中性能エアフィルタでもあり且つ高性能エアフィルタでもあるエアフィルタが存在するということである。
【００３９】
ケーシング４０は、室内ファン３２，３３の羽根３２ａ，３３ａを収納する羽根収納室ＲＭ２と中性能エアフィルタ３５を収納するフィルタ収納室ＲＭ３とを有する。ケーシング４０は、空気流れに直交する方向の空気流路の断面積について、中性能エアフィルタ３５の配置箇所Ｐｉ１のうちで最大となるフィルタ収納室ＲＭ３の第１断面積が、羽根収納室ＲＭ２の吹出開口５２の第２断面積よりも大きくなるように構成されている。中性能エアフィルタ３５の配置箇所Ｐｉ１のうちで最大となるフィルタ収納室ＲＭ３の第１断面積は、配置箇所Ｐｉ１におけるフィルタ収納室ＲＭ３の上下方向の長さＺ１と左右方向の長さＸ１の積で与えられる。また、吹出開口５２の第２断面積は、吹出開口５２の上下方向の長さＺ２と左右方向の長さＸ２の積で与えられる。多くの場合、フィルタ収納室ＲＭ３の左右方向の長さＸ１と吹出開口５２の左右方向の長さＸ２が実質的に等しい（Ｘ１≒Ｘ２）から、フィルタ収納室ＲＭ３の上下方向の長さＺ１が吹出開口５２の上下方向の長さＺ２よりも大きければ（Ｚ１＞Ｚ２）、第１断面積が第２断面積よりも大きくなる。
【００４０】
吹出開口５２の上下方向の長さＺ２は、吹出開口５２の上辺と下辺の距離に対応する。吹出開口５２の上辺は、図２に示されている天井前側壁５１のように天井壁５０から下方に突出する部分がある場合には、突出する部分の下辺つまり天井前側壁の前端辺５１ａになる。吹出開口５２において、このような下方に突出する部分がない場合には、天井壁５０の前端辺が吹出開口５２の上辺になる。同様に、吹出開口５２の下辺は、図２に示されている仕切壁４８のように上方に突出する部分がない場合には、仕切壁４８の前端辺４８ａが吹出開口５２の下辺になる。仕切壁４８から上方に突出する部分がある場合には、突出する部分の上辺が吹出開口５２の上辺になる。
【００４１】
（３）室内ユニット３０の具体的構成
図３には、室内ユニット３０の重要な構成部分を、室内ユニット３０に向かって右斜め上から見た状態が示されている。また、図４には、図３に示されている状態の室内ユニット３０のケーシング４０から、天板４０ａ、右側板４０ｂを取り外した状態が示されている。なお、製品となるときには、図３において図示省略されている化粧板及び風向を変更するためのルーバなどが取り付けられる。室内ユニット３０においては、室内熱交換器３１、室内ファン３２，３３、プレフィルタ３４及び中性能エアフィルタ３８が、ケーシング４０の中に収納されている。ここで示されている中性能エアフィルタ３８は、図２に示されている中性能エアフィルタ３５を実現するための具体的な中性能エアフィルタの一例である。この室内ユニット３０は、側方に調和空気を吹き出すことができるタイプの室内ユニットであり、例えば、壁掛け型または天井吊り下げ型である。ここに示すケーシング４０は、壁に取り付けられるように構成されている。なお、ここで説明する室内ユニット３０の具体的構成は一例であって本開示の技術的範囲をこの具体的構成に限定するものではない。
【００４２】
（３−１）ケーシング４０
ケーシング４０は、上部に天板４０ａ、右側面に右側板４０ｂ、左側面に左側板４０ｃ、及び背面に背面板４０ｄを備えている。この室内ユニット３０が壁掛け型であることから、背面板４０ｄは、室内の壁に取り付けられる金具に固定される。図５には、ケーシング４０の右側板４０ｂを取り外した状態の室内ユニット３０を右側面から見た状態が示されている。
【００４３】
ケーシング４０の底部には、底部材４５が配置されている。底部材４５には、左右方向に向って互いに平行に延びる２つのドレンパン４６，４７が形成されている。ドレンパン４６，４７には、４つに分割された室内熱交換器３１を支持する支持部材４６ａ，４６ｂ，４７ａ，４７ｂが形成されている。
【００４４】
底部材４５には、ドレンパン４６の前側、２つのドレンパン４６，４７の間及びドレンパン４７の後側に複数の開口部４５ａが左右方向に並べて形成されている。上方から下方に向って見たときの開口部４５ａの形状は、実質的に長方形である。互いに隣接する開口部４５ａの間には、細長い棒状のリブ４５ｂが前後方向に延びている。これら複数の開口部４５ａが吸込口４１になっている。これら複数の開口部４５ａの上には、プレフィルタ３４が配置されている。従って、開口部４５ａを通過した室内空気は、全てプレフィルタ３４を通過し、プレフィルタ３４により塵埃が除去される。吹出口４２の近傍に配置されている中性能エアフィルタ３８は、プレフィルタ３４よりも高い性能を有しており、細かい粒子に対してプレフィルタ３４よりも高い粒子捕集率を持っている。換言すると、プレフィルタ３４は、定格流量における０．３μｍの粒子の粒子捕集率が中性能エアフィルタ３８よりも少なく且つ圧力損失の小さいものである。
【００４５】
この吸込口４１の上は、底部材４５と右側板４０ｂと左側板４０ｃとで囲まれた熱交換器収納室ＲＭ１になっている。熱交換器収納室ＲＭ１の形状は、実質的に直方体である。この熱交換器収納室ＲＭ１は、左右に長く延びている。熱交換器収納室ＲＭ１に室内熱交換器３１が収納されている。
【００４６】
熱交換器収納室ＲＭ１の上には、羽根収納室ＲＭ２が設けられている。図６には、羽根収納室ＲＭ２を上方から見た状態が示されている。羽根収納室ＲＭ２には、室内ファン３２，３３の羽根３２ａ，３３ａが左右に並べて収納されている。熱交換器収納室ＲＭ１の上部、つまり熱交換器収納室ＲＭ１と羽根収納室ＲＭ２を仕切っている仕切壁４８には、室内ファン３２，３３の吸入口に合わせて２つの円形の開口部（図示せず）が形成されている。室内ファン３２，３３の羽根３２ａ，３３ａの後側には、上方から見て２つの半円状の第１案内面４９ａ及び第２案内面４９ｂを有する案内板４９が形成されている。この案内板４９の前側が開放されており、室内ファン３２，３３が駆動されると、室内ファン３２，３３によって熱交換器収納室ＲＭ１から上方に向かって吸い上げられた空気が案内板４９によって前方に向って案内される。そして、羽根収納室ＲＭ２の前側の吹出開口５２から前側の吹出口４２に向う気流が生じる。羽根収納室ＲＭ２の天井壁５０は、ＸＹ平面に沿うように前後左右に広がっているが、羽根３２ａをファンモータ３２ｍに接続するための開口部５０ａ、及び羽根３３ａをファンモータ３３ｍに接続するための開口部（図示せず）が形成されている。羽根収納室ＲＭ２の天井壁５０の前側にある天井前側壁５１は、前下がりになっていて側面から見て斜めに下がる曲線を描く（図５参照）。羽根収納室ＲＭ２の前側の吹出開口５２の上下方向の長さＺ２は、仕切壁４８から天井壁５０までの距離Ｒ１よりも短くなっている。
【００４７】
羽根収納室ＲＭ２と吹出口４２との間に、フィルタ収納室ＲＭ３が設けられている。フィルタ収納室ＲＭ３の上部には、フィルタ収納室ＲＭ３の前後方向（Ｙ軸方向）の中央部に左右方向（Ｘ軸方向）に水平に延びる板状の上部中央壁５４がある。フィルタ収納室ＲＭ３の上部中央壁５４のＺ軸方向（上下方向）の位置は、羽根収納室ＲＭ２の天井壁５０のＺ軸方向の位置と実質的に同じになっている。羽根収納室ＲＭ２の天井前側壁５１によって羽根収納室ＲＭ２の上部が低くなるが、フィルタ収納室ＲＭ３の上部後側壁５５は、羽根収納室ＲＭ２の天井前側壁５１の前端辺５１ａからフィルタ収納室ＲＭ３の上部中央壁５４に向って側面から見て斜め上方に延びていて、前上がりになっている。つまり、上部後側壁５５の後端辺５５ａに比べて前端辺５５ｂが上下方向において高所に位置している。なお、ここでは、天井前側壁５１の前端辺５１ａと上部後側壁５５の後端辺５５ａが実質的に一致している。天井前側壁５１の前端辺５１ａが吹出開口５２の上辺に相当するため、羽根収納室ＲＭ２の吹出開口５２の上辺のＺ軸方向の位置よりも、上部中央壁５４のＺ軸方向の位置の方が高くなっている。そして、フィルタ収納室ＲＭ３の上部中央壁５４の前方には、上部前側壁５６が、側面から見て斜め下方に向って前下がりに延びている。言い換えると、上部前側壁５６においては、前側に在る前端辺５６ｂの方が後端辺５６ａよりもＺ軸方向に下がった低所に位置している。この上部前側壁５６の前端辺５６ｂが吹出口４２の上辺に相当するため、吹出口４２の上辺のＺ軸方向の位置は、フィルタ収納室ＲＭ３の上部中央壁５４のＺ軸方向の位置よりも低くなっている。
【００４８】
フィルタ収納室ＲＭ３の下部の後側には、左右方向に延びる下部後側壁５７がある。下部後側壁５７の後端辺５７ａは、仕切壁４８の前端辺４８ａ（図６参照）からＺ軸方向に下がった低所に位置している。仕切壁４８の前端辺４８ａが吹出開口５２の下辺に相当するため、羽根収納室ＲＭ２の吹出開口５２のＺ軸方向の長さＺ２（吹出開口５２の上辺と下辺との距離）に比べて、中性能エアフィルタ３８の配置箇所のうちで最大となるフィルタ収納室ＲＭ３のＺ軸方向の長さＺ１が大きくなっている。この長さＺ１は、長さＺ２の２倍以上に設定されることが好ましい。また、フィルタ収納室ＲＭ３の後側の吸込開口のＺ軸方向の長さ（上部後側壁５５の後端辺５５ａと下部後側壁５７の後端辺５７ａとの距離）が吹出開口５２のＺ軸方向の長さＺ２よりも大きくなっている。このフィルタ収納室ＲＭ３の後側の吸込開口のＺ軸方向の長さも、中性能エアフィルタ３８のＺ軸方向の十分な長さを得るために、吹出開口５２のＺ軸方向の長さＺ２の２倍以上に設定されることが好ましい。なお、コンパクト化の観点から、フィルタ収納室ＲＭ３の上下方向の長さＺ１は、熱交換器収納室ＲＭ１と羽根収納室ＲＭ２と機械室ＲＭ４の全体の上下方向の長さよりも短く構成されることが好ましい。
【００４９】
この下部後側壁５７は、側面から見て後端辺５７ａから斜め下方に向って前下がりに延びている。言い換えると、下部後側壁５７においては、前側に在る前端辺５７ｂの方が後端辺５７ａよりもＺ軸方向において低所に位置している。下部後側壁５７の前側には、下部中央壁５８が左右方向に延びている。下部中央壁５８は、側面から見て下部後側壁５７の前端辺５７ｂから斜め上方に向って前上がりに延びている。言い換えると、下部中央壁５８においては、前側に在る前端辺５８ｂの方が後端辺５８ａよりもＺ軸方向において高所に位置している。さらに、下部前側壁５９は、側面から見て下部中央壁５８の前端辺５８ｂから斜め上方に向って前上がりに延びている。言い換えると、下部前側壁５９においては、前側に在る前端辺５９ｂの方が後端辺５９ａよりもＺ軸方向において高所に位置している。下部前側壁５９の前端辺５９ｂからＺ軸方向に沿って上にリブ６０が延びている。このリブ６０の上端辺６０ａが吹出口４２の下辺に相当する。
【００５０】
このように形成された吹出口４２の上下方向の長さＺ３（図３参照）は、フィルタ収納室ＲＭ３の上下方向の長さＺ１よりも小さくなっている。吹出口４２の上下方向の長さＺ３は、上部前側壁５６の前端辺５６ｂとリブ６０の上端辺６０ａの距離に対応する。フィルタ収納室ＲＭ３の上下方向の長さＺ１は、上部中央壁５４と下部中央壁５８の後端辺５８ａの距離に対応する。また、吹出口４２の上下方向の長さＺ３は、羽根収納室ＲＭ２の吹出開口５２の上下方向の長さＺ２よりも大きくなっている。
【００５１】
なお、ここでは図示を省略しているが、吹出口４２には、上下方向の風向及び／または左右方向の風向を調整するルーバが設けられる。
【００５２】
羽根収納室ＲＭ２の上には、機械室ＲＭ４が設けられている。機械室ＲＭ４には、ファンモータ３２ｍ，３３ｍ及び電装品箱９５（図４参照）が設置されている。電装品箱９５には、例えば室内制御装置９２が含まれる。
【００５３】
（３−２）室内熱交換器３１
室内熱交換器３１は、第１熱交換部３１ａから第４熱交換部３１ｄの４つの部分に分割されている。室内熱交換器３１の第１熱交換部３１ａから第４熱交換部３１ｄは、図５に示されているように、右側面から見てＷ字形を呈するように配置されている。すなわち、第１熱交換部３１ａは、右側面から見て斜め下方に向って後下がりに延び、第２熱交換部３１ｂは、右側面から見て第１熱交換部３１ａの右側から斜め上方に向って後上がりに延び、第３熱交換部３１ｃは、右側面から見て第２熱交換部３１ｂの右側から斜め下方に向って後下がりに延び、第４熱交換部３１ｄは、右側面から見て第３熱交換部３１ｃの右側から斜め上方に向って後上がりに延びている。第１熱交換部３１ａの後端部は支持部材４６ａによって支持され、第２熱交換部３１ｂの前端部は支持部材４６ｂによって支持され、第３熱交換部３１ｃの後端部は支持部材４７ａによって支持され、第４熱交換部３１ｄの前端部は支持部材４７ｂによって支持されている。そして、第１熱交換部３１ａの後端部と第２熱交換部３１ｂの前端部とが接続され、第２熱交換部３１ｂの後端部と第３熱交換部３１ｃの前端部とが接続され、第３熱交換部３１ｃの後端部と第４熱交換部３１ｄの前端部とが接続されている。
【００５４】
室内熱交換器３１は、例えば、Ｘ軸方向に延びる複数の伝熱管（図示せず）と、Ｘ軸方向に複数並べて配置され複数の伝熱管が貫く伝熱フィン（図示せず）とによって構成されるフィンアンドチューブ式の熱交換器である。複数の伝熱フィンの各々がＹＺ平面に平行に延びるように配置されているので、吸込口４１から吸込まれる室内空気が伝熱フィン間を通って上に向って流れる。そして、伝熱フィン間を通る室内空気と伝熱管の中を通る冷媒との間で熱交換が行われる。
【００５５】
（３−３）室内ファン３２，３３
図５に示されている室内ファン３２，３３には、遠心ファンを用いることができる。室内ファン３２，３３には、例えば、比較的多くの風量及び比較的高い風圧を得やすいことから、ターボファンが好適に用いられる。なお、室内ファン３２，３３に用いられる遠心ファンは、ターボファン以外の遠心ファンであってもよい。上方から羽根３２ａ，３３ｂを見たときに円形に見えるように、羽根３２ａ，３３ａが配置されている。羽根３２ａ，３３ａが回転すると、上下方向（Ｚ軸方向）に沿って下から空気が吸い上げられて、水平方向（ＸＹ平面に沿う方向）に空気が吹き出される。前から向って右側に配置されている室内ファン３２の羽根３２ａは上方から見て反時計回りに回転し、左側に配置されている室内ファン３３の羽根３３ａは上方から見て時計回りに回転するように構成されている。つまり、左右に並んだ室内ファン３２，３３の羽根３２ａ，３３ａの回転方向が互いに逆向きになっている。なお、羽根３２ａを時計回りに回転し、羽根３３ａを反時計回りに回転するように構成してもよい。
【００５６】
（３−４）中性能エアフィルタ３８
ここで用いられている中性能エアフィルタ３８は、初期性能として、定格流量で粒径が０．３μｍの粒子に対して９０％以上の粒子捕集率を持つ。通常のエアフィルタでは使用時間が長くなるほどフィルタ性能が低下するのが一般的であるので、初めて使用する場合のフィルタ性能で中性能エアフィルタを定義している。中性能エアフィルタ３８は、中性能エアフィルタ３８での圧力損失を低下させるために、機械的濾過と静電気的な吸着作用を併せ持つフィルタであることが好ましい。例えば、初期性能として、０．３μｍの粒子に対する機械的濾過の捕集効率よりも静電気的な吸着作用による集塵効率が高いものが好ましい。中性能エアフィルタ３８の空気流れに沿う方向の厚みＤ１が１０ｍｍ以上あれば十分な塵埃の除去機能が得られる。この中性能エアフィルタ３８の厚みＤ１は、例えば、側面から見て、１０ｍｍ〜１００ｍｍ程度である。中性能エアフィルタ３８の厚みは、換言すると、空気が流れる方向の厚みということができる。なお、１０ｍｍ以上の厚みＤ１を持つ中性能エアフィルタ３８は、圧力損失を下げるために、プリーツフィルタであることが好ましい。中性能エアフィルタ３８に代えて用いられる高性能エアフィルタにおいても空気流れに沿う方向の厚みＤ１が１０ｍｍ以上あれば十分な塵埃の除去機能が得られる。この高性能エアフィルタの厚みＤ１は、空気が流れる方向の厚みであり、例えば、側面から見て１０ｍｍ〜１００ｍｍ程度である。１０ｍｍ以上の厚みを持つ高性能エアフィルタも、圧力損失を下げるために、プリーツフィルタであることが好ましい。
【００５７】
中性能エアフィルタ３８は、第１フィルタ部３６と第２フィルタ部３７とから構成されている。第１フィルタ部３６と第２フィルタ部３７は、楔形に組み合わされている。この楔形を呈する中性能エアフィルタ３８は、吹出口４２に向って凸状になるように配置されている。つまり、第１フィルタ部３６の後端部３６ａは、上部後側壁５５に固定されている。第１フィルタ部３６は、側面から見て上部後側壁５５から真っ直ぐ斜め下方に向って前下がりに延びている。第２フィルタ部３７の後端部３７ａは、下部後側壁５７に固定されている。第２フィルタ部３７は、側面から見て下部後側壁５７から真っ直ぐ斜め上方に向って前上がりに延びている。そして、第１フィルタ部３６の前端部３６ｂと第２フィルタ部３７の前端部３７ｂとがＬアングルの接続部材３９によって接続されている。
【００５８】
第１フィルタ部３６と第２フィルタ部３７の接続位置が吹出口４２の上下方向位置に対応するように第１フィルタ部３６の長さＬ１が第２フィルタ部３７の長さＬ２よりも短くなっている。中性能エアフィルタ３８のＺ軸方向の配置位置は、羽根収納室ＲＭ２の吹出開口５２の上辺と下辺との間の範囲と中性能エアフィルタ３８の上端と下端との間の範囲が一部重なる上下方向位置に設定されている。中性能エアフィルタ３８を通過する空気は、第１フィルタ部３６では斜め上方に向かう流れを形成し、第２フィルタ部３７では斜め下方に向う流れを形成する。
【００５９】
図５に示されているように、吹出開口５２の下辺（ここでは仕切壁４８の前端辺４８ａ）とフィルタ収納室ＲＭ３の下部後端部（ここでは下部後側壁５７の後端辺５７ａ）とが離れるように形成されていると、フィルタ収納室ＲＭ３の前後方向（Ｙ軸方向）の長さを短く形成できる。そして、図５に示されているように凸状に配置された中性能エアフィルタ３８が吹出開口５２から離れているので、中性能エアフィルタ３８の全体を効率良く使用することができ、中性能エアフィルタ３８が吹出開口５２の近くにある場合に比べて中性能エアフィルタ３８で生じる圧力損失を小さくすることができている。
【００６０】
（４）変形例
（４−１）変形例１Ａ
上記実施形態では、室内熱交換器３１について、その形状が側面から見てＷ字形を呈するものについて説明した。しかし、室内熱交換器３１の形状は、上述のような形状に限られるものではなく、例えば側面から見て逆Ｖ字形であってもよい。
【００６１】
（４−２）変形例１Ｂ
上記実施形態では、室内ユニット３０が２台の室内ファン３２，３３を備える場合について説明したが、室内ファンは、１台でもよく、また３台以上であってもよい。
【００６２】
（４−３）変形例１Ｃ
上記実施形態では、室内ユニット３０が壁掛け型である場合について説明したが、室内ユニット３０を天井吊り下げ型とする場合には、例えば天井から吊り下げるためのボルトをケーシング４０に固定することができるように構成すればよい。
【００６３】
（４−４）変形例１Ｄ
上記実施形態では、１台の室外ユニット２０に１台の室内ユニット３０が接続される場合について説明したが、１台または複数台の室外ユニットに複数台の室内ユニットが接続されるものであってもよい。その場合に、膨張弁は、室外ユニットに配置されてもよく、室内ユニットに配置されてもよい。
【００６４】
（４−５）変形例１Ｅ
上記実施形態では、室内熱交換器３１に流れる冷媒が蒸気圧縮式冷凍サイクルを行う冷媒回路１１を流れる冷媒である場合について説明した。しかし、室内熱交換器３１に流れる冷媒は、蒸気圧縮式冷凍サイクルを行う冷媒回路を流れる冷媒に限られるものでなく、例えば給湯器から供給される熱水であってもよい。
【００６５】
（４−６）変形例１Ｆ
上記実施形態では、第１フィルタ部３６及び第２フィルタ部３７が、側面から見て真っ直ぐに延びている場合について説明したが、第１フィルタ部３６及び第２フィルタ部３７は側面から見て曲線状に延びるように構成されてもよい。また、吹出口４２に向って凸状に構成されている中性能エアフィルタ３８は、側面から見て曲線状に延びるように１つの部材を湾曲させて形成してもよく、複数の部材に分割しなくてもよい。例えば、中性能エアフィルタ３８は、側面から見て、直線状または曲線状に延びる１つのフィルタ部からなるものであってもよい。
【００６６】
（４−７）変形例１Ｇ
上記実施形態では、風向を変更するためのルーバの構成例の記載を省いたが、例えば図７（ａ）に示されているように、吹出口４２の前端辺５６ｂの近傍に回転軸７６を有する上部ルーバ７１と、吹出口４２の中央部に回転軸７７を有する下部ルーバ７２とを設けてもよい。上部ルーバ７１及び下部ルーバ７２は、上部ルーバ７１の先端部７１ａ及び下部ルーバ７２の先端部７２ａが最下端まで回動した状態で、吹出口４２の全体を覆うことができる。
【００６７】
（４−８）変形例１Ｈ
上記実施形態では、風向を変更するためのルーバの構成例の記載を省いたが、例えば図７（ｂ）に示されているように、吹出口４２の前端辺５６ｂの近傍に回転軸７８を有する上部ルーバ７３と、リブ６０に沿う回転軸７９を有する下部ルーバ７４とを設けてもよい。上部ルーバ７３は、上部ルーバ７３の先端部７３ａが最下端まで回動した状態で、吹出口４２の全体を覆うことができる。また、下部ルーバ７４は、下部ルーバ７４の先端部７４ａを下方に向って回動すると、吹出口４２を下方に向って開くことができる。
【００６８】
（５）特徴
（５−１）
図２を用いて説明したように、中性能エアフィルタ３５，３８の配置箇所Ｐｉ１のうちで最大となるフィルタ収納室ＲＭ３の第１断面積が、羽根収納室ＲＭ２の吹出開口５２の第２断面積よりも大きくなるように構成されていることから、中性能エアフィルタ３５，３８での圧力損失を小さくして室内ファン３２，３３を小型化できる。また、空気流れに直交する方向についてフィルタ収納室ＲＭ３の第１断面積が吹出開口５２の第２断面積よりも大きいことから、中性能エアフィルタ３５，３８の配置箇所Ｐｉ１を短くしてフィルタ収納室ＲＭ３の空気流れに沿った方向の長さを短くできるので、室内ユニット３０の大型化を抑制することができる。
【００６９】
（５−２）
室内熱交換器３１が室内ファン３２，３３の上流側に配置され、中性能エアフィルタ３５，３８が室内ファンの下流側に配置されていることから、室内熱交換器３１、室内ファン３２，３３、中性能エアフィルタ３５，３８の順に空気が流れるので、室内熱交換器３１と中性能エアフィルタ３５，３８との間に室内ファン３２，３３が存在している。この室内ファン３２，３３の存在によって、室内熱交換器３１から中性能エアフィルタ３５，３８に凝縮水が掛かるのを防止することができ、中性能エアフィルタ３５，３８の汚染及び圧力損失の増加を防止することができている。
【００７０】
（５−３）
図５に示されている中性能エアフィルタ３８の少なくとも一部の上下方向位置３８ｚが室内熱交換器３１の上下方向位置３１ｚと同じになっていることから、室内熱交換器３１の上下方向の範囲に中性能エアフィルタ３８の少なくとも一部が納まるので、室内ユニット３０が上下方向に拡大するのを抑制することができ、室内ユニット３０の大型化を抑制することができる。
【００７１】
（５−４）
図２及び図５に示されているように、ケーシング４０の側部の吹出口４２から横に調和空気を吹きださせ且つフィルタ収納室ＲＭ３の上下方向に対して交差する向きに空気流れが生じている。このような構成により、フィルタ収納室ＲＭ３を上下に拡張することができている。その結果、中性能エアフィルタ３５，３８での圧力損失を抑えながらケーシング４０が横方向（Ｙ軸方向）へ拡大されるのを抑制することができている。
【００７２】
（５−５）
フィルタ収納室ＲＭ３の上下寸法が羽根収納室ＲＭ２の上下寸法よりも大きいことから、室内ファン３２，３３の送風能力と中性能エアフィルタ３５，３８の圧力損失の適正化を図り易くなり、フィルタ収納室ＲＭ３と羽根収納室ＲＭ２とをコンパクト化できる。その結果、ケーシング４０を小型化してすることができ、室内ユニット３０の大型化を抑制することができる。
【００７３】
（５−６）
室内ユニット３０においては、フィルタ収納室ＲＭ３の上下方向の長さＺ１が吹出開口の上下方向の長さＺ２の２倍以上に設定されることにより、フィルタ収納室ＲＭ３の第１断面積が羽根収納室の吹出開口の第２断面積の２倍以上に設定される。このような構成の場合には、室内ファン３２，３３の送風能力と中性能エアフィルタ３８の圧力損失の適正化を図り易くなり、フィルタ収納室ＲＭ３と羽根収納室ＲＭ２とをコンパクト化できるので、ケーシング４０を小型化することができる。
【００７４】
（５−７）
図５に示されている室内ユニット３０では、中性能エアフィルタ３８の下流側で空気流路を狭めることから、ケーシング４０から吹出される調和空気の風速を上げる一方で、中性能エアフィルタ３８での風速を抑えて構成の上ありふたでの圧力損失を抑えることができるので、室内ファン３２，３３を小型化し易くなり、室内ユニット３０の大型化を抑制することができる。
【００７５】
（５−８）
図５に示されている室内ユニット３０では、空気流れの下流側に向って凸の形状を有する中性能エアフィルタ３８を用いている。中性能エアフィルタ３８を空気が通過する断面積を大きくしながら、空気流れに直交する方向の中性能エアフィルタ３８の寸法を小さくすることができ、中性能エアフィルタ３８の圧力損失を小さくするためにフィルタ収納室ＲＭ３の上下方向の寸法が大きくなるのを防いで、室内ユニット３０の大型化を抑制することができる。
【００７６】
（５−９）
直方体状の第１フィルタ部３６と第２フィルタ部３７をＬアングルの接続部材３９により接続することによって中性能エアフィルタ３８が得られている。このように、立体的な第１フィルタ部３６と立体的な第２フィルタ部３７を接続することにより、楔形に折り曲げた形状の中性能エアフィルタ３８を簡単に造ることができる。そして、空気流れの下流側に向って凸の形状を有する中性能エアフィルタ３８を容易に実現することができている。なお、立体的な第１フィルタ部３６と立体的な第２フィルタ部３７は、直方体以外の形状であってもよく、例えば三角柱または直方体以外の四角柱のような形状であってもよい。
【００７７】
以上、本開示の実施形態を説明したが、特許請求の範囲に記載された本開示の趣旨及び範囲から逸脱することなく、形態や詳細の多様な変更が可能なことが理解されるであろう。
【符号の説明】
【００７８】
１０  空気調和機
２０  室外ユニット
３０  室内ユニット
３１  室内熱交換器
３２，３３  室内ファン
３５，３８  中性能エアフィルタ
４０  ケーシング
４１  吸込口
４２  吹出口
５２  吹出開口
ＲＭ１  熱交換器収納室
ＲＭ２  羽根収納室
ＲＭ３  フィルタ収納室
【先行技術文献】
【特許文献】
【００７９】
【特許文献１】特開平１１−３１１４４６号公報
【手続補正３】
【補正対象書類名】図面
【補正対象項目名】図５
【補正方法】変更
【補正の内容】
【図５】
2018141621.tif 000010